【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
音声制御デバイスに対するユーザの発話に基づいて処理を実行する中継サーバであって、
所定のユーザによるｎ回目の発話による第１印刷指示が音声制御デバイスに対して行われた場合、第１印刷コンテンツを印刷装置に印刷させるための処理を実行する実行手段と、
前記所定のユーザによって指示された印刷の履歴に関する印刷履歴情報を管理する管理手段と、
を有し、
前記第１印刷指示が行われた後に前記所定のユーザによるｎ＋１回目の発話による第２印刷指示が前記音声制御デバイスに対して実行された場合、前記実行手段は、前記所定のユーザの前記印刷履歴情報に基づいて、前記第１印刷コンテンツと異なる第２印刷コンテンツを前記印刷装置に印刷させるための処理を実行することを特徴とする中継サーバ。
【請求項２】
前記第１印刷コンテンツと前記第２印刷コンテンツの処理順を示す情報を管理することを特徴とする請求項１に記載の中継サーバ。
【請求項３】
前記第１印刷指示が前記音声制御デバイスに対して行われたことにより前記第１印刷コンテンツを前記印刷装置に印刷させるための処理が実行された場合、前記管理手段は、前記所定のユーザを示すユーザ識別情報と印刷に使用された前記第１印刷コンテンツを示す情報に基づいて前記印刷履歴情報を管理することを特徴とする請求項１または２に記載の中継サーバ。
【請求項４】
前記所定のユーザと、前記所定のユーザとは異なる代理ユーザを関連付けた代理印刷情報を管理する第２管理手段を更に有し、
前記代理ユーザが前記所定のユーザ用に第３印刷指示を前記音声制御デバイスに対して行った場合、前記実行手段は、前記所定のユーザの前記印刷履歴情報に基づいて前記第１または前記第２印刷コンテンツを前記印刷装置に印刷させるための処理を実行することを特徴とする請求項１乃至３のいずれか１項に記載の中継サーバ。
【請求項５】
前記代理ユーザが前記所定のユーザ用に前記第３印刷指示を前記音声制御デバイスに対して行った場合、前記管理手段は、前記所定のユーザの前記印刷履歴情報を更新することを特徴とする請求項４に記載の中継サーバ。
【請求項６】
前記第１印刷指示が行われた後に前記第２印刷指示が前記音声制御デバイスに対して実行され、且つ、前記第２印刷指示を実行するための前記所定のユーザによるｎ＋１回目の発話の内容が、前記第１印刷指示を実行するための前記所定のユーザによるｎ回目の発話の内容と同じである場合、前記実行手段は、前記第２印刷指示を実行するための前記所定のユーザによるｎ＋１回目の発話の内容が、前記第１印刷指示を実行するための前記所定のユーザによるｎ回目の発話の内容と同じであるにもかかわらず、前記第１印刷指示に基づいて印刷された前記第１印刷コンテンツと異なる前記第２印刷コンテンツを印刷させるための処理を、前記印刷履歴情報に基づいて実行することを特徴とする請求項１乃至５のいずれか１項に記載の中継サーバ。
【請求項７】
前記第１印刷コンテンツを印刷装置に印刷させるための処理は、前記第１印刷コンテンツを印刷装置に印刷させるための印刷データの生成を含むことを特徴とする請求項１乃至６のいずれか１項に記載の中継サーバ。
【請求項８】
前記第１印刷コンテンツを印刷装置に印刷させるための処理は、前記第１印刷コンテンツを印刷装置に印刷させるための印刷データを前記印刷装置に送信する処理を含むことを特徴とする請求項１乃至７のいずれか１項に記載の中継サーバ。
【請求項９】
前記第１印刷コンテンツ及び前記第２印刷コンテンツは、ぬり絵および算数問題の少なくとも１つであることを特徴とする請求項１乃至８のいずれか１項に記載の中継サーバ。
【請求項１０】
音声制御デバイスに対するユーザの発話に基づいて処理を実行する中継サーバの制御方法であって、
所定のユーザによるｎ回目の発話による第１印刷指示が音声制御デバイスに対して行われた場合、第１印刷コンテンツを印刷装置に印刷させるための処理を実行する実行工程と、
前記所定のユーザによって指示された印刷の履歴に関する印刷履歴情報を管理する管理工程と、
を有し、
前記第１印刷指示が行われた後に前記所定のユーザによるｎ＋１回目の発話による第２印刷指示が前記音声制御デバイスに対して実行された場合、前記所定のユーザの前記印刷履歴情報に基づいて、前記第１印刷コンテンツと異なる第２印刷コンテンツを前記印刷装置に印刷させるための処理が実行されることを特徴とする制御方法。
【請求項１１】
前記第１印刷コンテンツと前記第２印刷コンテンツの処理順を示す情報が管理されることを特徴とする請求項１０に記載の制御方法。
【請求項１２】
前記第１印刷指示が前記音声制御デバイスに対して行われたことにより前記第１印刷コンテンツを前記印刷装置に印刷させるための処理が実行された場合、前記所定のユーザを示すユーザ識別情報と印刷に使用された前記第１印刷コンテンツを示す情報に基づいて前記印刷履歴情報が管理されることを特徴とする請求項１０または１１に記載の制御方法。
【請求項１３】
前記所定のユーザと、前記所定のユーザとは異なる代理ユーザを関連付けた代理印刷情報を管理する第２管理工程を更に有し、
前記代理ユーザが前記所定のユーザ用に第３印刷指示を前記音声制御デバイスに対して行った場合、前記所定のユーザの前記印刷履歴情報に基づいて前記第１または前記第２印刷コンテンツ前記印刷装置に印刷させるための処理が実行されることを特徴とする請求項１０乃至１２のいずれか１項に記載の制御方法。
【請求項１４】
前記代理ユーザが前記所定のユーザ用に前記第３印刷指示を前記音声制御デバイスに対して行った場合、前記所定のユーザの前記印刷履歴情報が更新されることを特徴とする請求項１３に記載の制御方法。
【請求項１５】
前記第１印刷指示が行われた後に前記第２印刷指示が前記音声制御デバイスに対して実行され、且つ、前記第２印刷指示を実行するための前記所定のユーザによるｎ＋１回目の発話の内容が、前記第１印刷指示を実行するための前記所定のユーザによるｎ回目の発話の内容と同じである場合、前記実行手段は、前記第２印刷指示を実行するための前記所定のユーザによるｎ＋１回目の発話の内容が、前記第１印刷指示を実行するための前記所定のユーザによるｎ回目の発話の内容と同じであるにもかかわらず、前記第１印刷指示に基づいて印刷された前記第１印刷コンテンツと異なる前記第２印刷コンテンツを印刷させるための処理を、前記印刷履歴情報に基づいて実行することを特徴とする請求項１０乃至１４のいずれか１項に記載の制御方法。
【請求項１６】
前記第１印刷コンテンツを印刷装置に印刷させるための処理は、前記第１印刷コンテンツを印刷装置に印刷させるための印刷データの生成を含むことを特徴とする請求項１０乃至１５のいずれか１項に記載の制御方法。
【請求項１７】
前記第１印刷コンテンツを印刷装置に印刷させるための処理は、前記第１印刷コンテンツを印刷装置に印刷させるための印刷データを前記印刷装置に送信する処理を含むことを特徴とする請求項１０乃至１６のいずれか１項に記載の制御方法。
【請求項１８】
前記第１印刷コンテンツ及び前記第２印刷コンテンツは、ぬり絵および算数問題の少なくとも１つであることを特徴とする請求項１０乃至１７のいずれか１項に記載の制御方法。
【請求項１９】
音声制御デバイスに対するユーザの発話に基づいて処理を実行する中継サーバと印刷装置とを含むシステムであって、
所定のユーザによるｎ回目の発話による第１印刷指示が音声制御デバイスに対して行われた場合、第１印刷コンテンツを印刷装置に印刷させるための処理を実行する実行手段と、
前記所定のユーザによって指示された印刷の履歴に関する印刷履歴情報を管理する管理手段と、
前記第１印刷コンテンツを前記印刷装置に印刷させるための処理が実行された場合、前記第１印刷コンテンツを印刷する印刷手段と、
を有し、
前記第１印刷指示が行われた後に前記所定のユーザによるｎ＋１回目の発話による第２印刷指示が前記音声制御デバイスに対して実行された場合、前記実行手段は、前記所定のユーザの前記印刷履歴情報に基づいて、前記第１印刷コンテンツと異なる第２印刷コンテンツを前記印刷装置に印刷させるための処理を実行することを特徴とするシステム。
【請求項２０】
前記第１印刷コンテンツと前記第２印刷コンテンツの処理順を示す情報を管理することを特徴とする請求項１９に記載のシステム。
【請求項２１】
前記第１印刷指示が前記音声制御デバイスに対して行われたことにより前記第１印刷コンテンツを前記印刷装置に印刷させるための処理が実行された場合、前記管理手段は、前記所定のユーザを示すユーザ識別情報と印刷に使用された前記第１印刷コンテンツを示す情報に基づいて前記印刷履歴情報を管理することを特徴とする請求項１９または２０に記載のシステム。
【請求項２２】
前記所定のユーザと、前記所定のユーザとは異なる代理ユーザを関連付けた代理印刷情報を管理する第２管理手段を更に有し、
前記代理ユーザが前記所定のユーザ用に第３印刷指示を前記音声制御デバイスに対して行った場合、前記実行手段は、前記所定のユーザの前記印刷履歴情報に基づいて前記第１または前記第２印刷コンテンツを前記印刷装置に印刷させるための処理を実行することを特徴とする請求項１９乃至２１のいずれか１項に記載のシステム。
【請求項２３】
前記代理ユーザが前記所定のユーザ用に前記第３印刷指示を前記音声制御デバイスに対して行った場合、前記管理手段は、前記所定のユーザの前記印刷履歴情報を更新することを特徴とする請求項２２に記載の中継サーバ。
【請求項２４】
前記第１印刷指示が行われた後に前記第２印刷指示が前記音声制御デバイスに対して実行され、且つ、前記第２印刷指示を実行するための前記所定のユーザによるｎ＋１回目の発話の内容が、前記第１印刷指示を実行するための前記所定のユーザによるｎ回目の発話の内容と同じである場合、前記実行手段は、前記第２印刷指示を実行するための前記所定のユーザによるｎ＋１回目の発話の内容が、前記第１印刷指示を実行するための前記所定のユーザによるｎ回目の発話の内容と同じであるにもかかわらず、前記第１印刷指示に基づいて印刷された前記第１印刷コンテンツと異なる前記第２印刷コンテンツを印刷させるための処理を、前記印刷履歴情報に基づいて実行することを特徴とする請求項１９乃至２３のいずれか１項に記載のシステム。
【請求項２５】
前記第１印刷コンテンツを印刷装置に印刷させるための処理は、前記第１印刷コンテンツを印刷装置に印刷させるための印刷データの生成を含むことを特徴とする請求項１９乃至２３のいずれか１項に記載のシステム。
【請求項２６】
前記第１印刷コンテンツを印刷装置に印刷させるための処理は、前記第１印刷コンテンツを印刷装置に印刷させるための印刷データを前記印刷装置に送信する処理を含むことを特徴とする請求項１９乃至２５のいずれか１項に記載のシステム。
【請求項２７】
前記第１印刷コンテンツ及び前記第２印刷コンテンツは、ぬり絵および算数問題の少なくとも１つであることを特徴とする請求項１９乃至２６のいずれか１項に記載のシステム。
【手続補正２】
【補正対象書類名】明細書
【補正対象項目名】０００５
【補正方法】変更
【補正の内容】
【０００５】
上述のような課題を解決するため、本発明は、音声制御デバイスに対するユーザの発話に基づいて処理を実行する中継サーバであって、所定のユーザによるｎ回目の発話による第１印刷指示が音声制御デバイスに対して行われた場合、第１印刷コンテンツを印刷装置に印刷させるための処理を実行する実行手段と、前記所定のユーザによって指示された印刷の履歴に関する印刷履歴情報を管理する管理手段と、を有し、前記第１印刷指示が行われた後に前記所定のユーザによるｎ＋１回目の発話による第２印刷指示が前記音声制御デバイスに対して実行された場合、前記実行手段は、前記所定のユーザの前記印刷履歴情報に基づいて、前記第１印刷コンテンツと異なる第２印刷コンテンツを前記印刷装置に印刷させるための処理を実行することを特徴とする。